(57)【要約】【課題】撓み可能な複数のペン先片を環状に配設して、先端側を先窄み状としたペン体を備えた筆記具おいて、筆記時の筆圧によりペン体が後退し、万年筆のペン先のように筆跡幅が変化可能で抑揚感があり、かつペン体の筆圧による後退量を調整できる筆記具を得る。【解決手段】一端側にインキ流出路５を設けた複数のペン先片３を有し、先端を先窄み状となるように集合したペン体６を、インキ流通路８と該インキ流通路８に連通し外方に開口したスリット１５を有したペン体保持部材７の外周上に、筆記時の筆圧により後方へ移動可能に、かつ前方方向へコイルスプリング３１により弾発して設ける。調整回動体２８と該調整回動体２８を回動することにより前後動可能な調整移動体２５を設け、調整移動体２５が前進することで、コイルスプリング３１のペン体６の前方方向への弾発力を変更可能とする。【選択図】図３
2012045723.tif 000002
【特許請求の範囲】
【請求項１】
撓み可能な複数のペン先片を環状に配して、先端側を先窄み状としたペン体を備えた筆記具において、前記ペン体を前後動可能にかつばねにより前方方向に弾発して配し、インキを収容した軸筒の前方に、外周面を外方に露出した調整回動体を回動可能に配し、該調整回動体の内側にばね受け部を有した調整移動体を、調整回動体を回動することにより前後動可能に調整回動体にねじ嵌合して設けるとともに、ばね受け部の先端をペン体を前方方向に弾発するばねの後端に当接し、調整回動体を回動して調整移動体が前後動し、ばねの装着状態の全長を変化させることでペン体の前方方向への弾発力を変化させ、ペン体の筆圧による後退量を調整可能としたことを特徴とする筆記具。
【請求項２】
前記ペン先片に、先端に開口した切割溝を先端部に設けて、ペン先片の先端にインキを流出するためのインキ流出路とした、請求項１に記載の筆記具。
【発明の詳細な説明】
【技術分野】
【０００１】
本発明は、複数のペン先片を環状に配列し、各ペン先片の先端を全体形状が先窄み状となるように集合したペン先を有した筆記具に関する。
【背景技術】
【０００２】
従来、どの方向からも筆記面に筆記できるペン先として、複数のペン先片を環状に配列して設けるとともに、各ペン先片の先端を全体形状が先窄み状となるように集合したペン先は知られている。
【０００３】
例えば、特開平９−１５６２７９号公報により開示されている、筒形状の基部と、その一端側に、連続して断面円弧状に突出され、軸心の円周上に等間隔に相互の間にスリット状の溝を設けて形成された複数の櫛歯状片とからなり、各櫛歯状片の先端に全体として半球形状を構成する半球分割部を有するペン先基本体と、ペン先基本体の外周状に嵌合可能な筒形に形成され、複数の櫛歯状片を軸心方向に向けて押圧し、収束する収束部材とを備え、ペン先基本体に収束部材を嵌め込むことにより、ペン先基本体の複数の櫛歯状片をその先端方向に向けて漸次縮径する円錐形に収束し、その先端に半球状の筆記部を構成してなる構造のものがあり、こうしたペン先を装着した筆記具についても、特開２０１０−１１５７８６号により提案されている。
【０００４】
ところで、万年筆においては、筆記時における筆圧によりペンの先端に形成された切割溝により先端が開き、紙面等の筆記面へインキを流出するための前記切割溝で構成されたインキ流出路の幅が広くなるので、筆跡幅に変化をもたらすことはできるが、前記したような、複数のペン先片を環状に配列し、各ペン先片の先端を全体形状が先窄み状となるよう集合したペン先を有した筆記具においては、筆記面へインキを流出するためのインキ流出路は、各櫛歯状片（ペン先片）間の隙間で構成しているために、筆記時における筆圧により各櫛歯状片（ペン先片）間の隙間量はあまり変化しないので、万年筆のように筆記時の筆圧により筆跡幅が変化することはなかった。また、前記構造の筆記具では、筆記時の筆圧により各ペン先片が後退することがないので抑揚感がないという問題があった。
【先行技術文献】
【特許文献】
【０００５】
【特許文献１】特開平９−１５６２７９号公報
【特許文献２】特開２００３−３３５０８９号公報
【発明の概要】
【発明が解決しようとする課題】
【０００６】
本発明は前記事実に鑑みてなされたもので、撓み可能な複数のペン先片を環状に配設して、先端側を先窄み状としたペン体を備えた筆記具おいて、筆記時の筆圧によりペン体が後退し、万年筆のペン先のように筆跡幅が変化可能で抑揚感があり、かつペン体の筆圧による後退量を調整できる筆記具を得ることにある。
【課題を解決するための手段】
【０００７】
本発明は、
「１．撓み可能な複数のペン先片を環状に配して、先端側を先窄み状としたペン体を備えた筆記具において、前記ペン体を前後動可能にかつばねにより前方方向に弾発して配し、インキを収容した軸筒の前方に、外周面を外方に露出した調整回動体を回動可能に配し、該調整回動体の内側にばね受け部を有した調整移動体を、調整回動体を回動することにより前後動可能に調整回動体にねじ嵌合して設けるとともに、ばね受け部の先端をペン体を前方方向に弾発するばねの後端に当接し、調整回動体を回動して調整移動体が前後動し、ばねの装着状態の全長を変化させることでペン体の前方方向への弾発力を変化させ、ペン体の筆圧による後退量を調整可能としたことを特徴とする筆記具。
２．前記ペン先片に、先端に開口した切割溝を先端部に設けて、ペン先片の先端にインキを流出するためのインキ流出路とした、前記１項に記載の筆記具。」
である。
【発明の効果】
【０００８】
本発明は前記したような構造なので、ペン体が筆記時の筆圧により後方に移動するので筆跡幅が変化可能で筆記時における抑揚感を感ずることができる。また、調整回動体を回動することによりペン体を前方方向に弾発しているばねの後端に当接した調整移動体が前後動して、ばねの装着状態の全長が変化してばねの弾発力が変化し、同じ筆圧であれば、ばねの弾発力の強弱によりペン体の後退量を調整することができる。
【０００９】
請求項２に係る発明とすることで、筆記時の筆圧により各ペン先片が後退して先端が互いに離間し、各ペン先片間の隙間が広くなり隙間で構成されたインキ流出路がその機能が低下しても、切割溝によるインキ流出路によりインキがペン先片の先端に流出するので、筆記具としてのインキ出性能の低下を防ぐことができる。
【図面の簡単な説明】
【００１０】
【図１】本発明の筆記具の第１の実施例を示す、筆記具の斜視図である。
【図２】第１の実施例における筆記具の内部構造の概略を示す、要部を断面した図である。
【図３】図２における筆記具の要部の拡大断面図である。
【図４】図３におけるにおけるＡ−Ａ線部分の拡大端面図である。
【図５】図３におけるにおけるＢ−Ｂ線部分の拡大端面図である。
【図６】第１の実施例におけるペン体の斜視図である。
【図７】第１の実施例におけるペン体の後退量を調整する、調整移動体の斜視図である。
【図８】図３において、ペン体が後退した状態を示した図である。
【図９】本発明の筆記具の第２の実施例を示す、筆記具の内部構造の概略を示す、要部を断面した図である。
【発明を実施するための形態】
【００１１】
本発明の筆記具は、撓み可能な複数のペン先片を環状に配して、先端側を先窄み状としたペン体を備えた筆記具において、ペン体を筆記時の筆圧により後方へ移動可能に配するとともにばねにより前方方向に弾発し、調整回動体および調整移動体を、調整回動体を回動して調整移動体が前後動して、前記ばねの装着状態の全長が変化するように設ける。
【実施例１】
【００１２】
本発明の筆記具の第１の実施例を、図１〜図８を用いて説明する。本実施例の筆記具１は、図６に示すように、一端側に隙間２介して複数のペン先片３を有し他端側を連接して連接部４とし、各ペン先片３の先端部に、軸心方向に延び先端に開口した切割溝で形成したインキ流出路５を有した撓み可能な金属製で平板状のペン体６を、連接部４を環状にし各ペン先片３を周状に配列して設け、各ペン先片３をプレス等により内側に変形して略円錐状となるようにペン先片３の先端を集合して形成してある。
【００１３】
前記ペン体６を、図２および図３に示すように、本体部７ａと前方に形成した先窄み状で本体部７ａの外径より小径な前方部７ｂと後端（図２において右側方向）に形成した本体部７ａの外径より大径な鍔部７ｃとで構成したペン体保持部材７に、該ペン体保持部材７の前方部７ｂを略円錐状の各ペン先片３内に位置し、本体部７ａの前端部（図において左側方向）にペン体６の連接部４を遊嵌状態で挿入して配する。ペン体保持部材７には、後端から前端にインキを流出するための前後に貫通した孔で形成したインキ流通路８を設けてある。
【００１４】
前記ペン体６を配したペン体保持部材７を、内部形状が、前記ペン体保持部材７の本体部７ａが挿入可能な内径とした前方内部９ａと、前記ペン体保持部材７の鍔部７ｃが挿入可能な前記前方内部９ａの内径より大径な後方内部９ｂとで構成した円筒状の軸体９に、本体部７ａを前方内部９ａに遊嵌し、鍔部７ｃを後方内部９ｂに位置させて前方内部９ａの後端に当接して挿着してある。
【００１５】
前記ペン体６の連接部４および前記ペン体保持部材７の本体部７ａと鍔部７ｃを被覆するように軸体９の内部に円筒状の移動体１０を、軸体９およびペン体保持部材７に対して前後に移動可能に設けてあり、移動体１０には、内方に向って突出した突出部１１を設けてあり、該突出部１１の前方端面をペン体６の連接部４の後端に当接して配してある。突出部の前方の移動体１０の内壁面にはガイド突起１２を接着剤等により固着してあり、該ガイド突起１２を、ペン体６の連接部４に設けた係止孔１３（図６を参照）に嵌合してペン体６を貫通してペン体保持部材７に突出し、ペン体保持部材７の外周面に設けた軸心方向に延びたガイド溝１４に係合させてある。こうした構造により、ペン体６および移動体１０はペン体保持部材７から抜け出すことがなく、かつペン体保持部材７に対して回動することなく前後動可能としてある。
【００１６】
図３に示すように、ペン体保持部材７の前方部７ｂの先端部７ｂａには、インキ流通路８に連通し軸径方向に放射状に延びて外方に開口したスリット１５を３つ設けてある。また、ペン体保持部材７のスリット１５の周りの外壁面と各ペン先片３のインキ流出路５の周り内壁面との間に毛管作用によりインキ溜り部となる空間部１６が形成されるように、スリット１５の後方（図３おいて右側方向）に、ペン体保持部材７の外壁面が各ペン先片３の内壁面に当接するようにペン体保持部材７に当接部１７を設けるとともに、スリット１５を設けた部分の先端部７ｂａの外径を、当接部１７の外径より小径としてある。
【００１７】
櫛溝１８と前後端に開口して連通したインキ流出溝（図示せず）を有したペン芯１９はペン芯保持部材２０に挿着してあり、該ペン芯保持部材２０は、先端にペン体保持部材７の鍔部７ｃに当接し外径を鍔部７ｃと略同径とした外方に突出した先端頭部２１を設けてある。ペン芯保持部材２０は、前記先端頭部２１をペン体保持部材７の鍔部７ｃの後端面に当接するとともに、先端頭部２１の外側面に形成した雄ねじ部２２と前記軸体９の後端部の内壁面に形成した雌ねじ部２３とをねじ嵌合して、軸体９に連接して設けてある。
【００１８】
ペン芯保持部材２０の外周面上には、図７に示すような、等間隔にペン先片３側に向かって突出した４つのばね受け部２４を有した調整移動体２５を前後動可能に配してあり、前記ばね受け部２４の先端は、ペン体保持部材７の鍔部７ｃの対向した位置に形成した前後に貫通したばね受け部２４の幅と略同等の幅を有した貫通凹部２６と、ペン芯保持部材２０の先端頭部２１の対向した位置に形成した前後に貫通したばね受け部２４の幅と略同等の幅を有した貫通凹部２７を通ってペン体保持部材７の鍔部７ｃの前方に位置するように設けてある。
【００１９】
前記調整移動体２５の外周面上には、リング状の調整回動体２８を、外周面を外方に露出させて調整移動体２５にねじ嵌合して設けてある。調整回動体２８の後方には、インキを直に収容可能な軸筒２９が、前記ペン芯保持部材２０の外周面にねじ嵌合により着脱自在に連接してある。図示していないが、当然に前記ねじ嵌合部３０より軸筒２９内に収容したインキが漏れ出さないように、例えばパッキンを設ける等の手段を講じる必要があることはいうまでもない。
【００２０】
調整回動体２８は、軸体９の後端と軸筒２９の先端との間に配してあるが、前後動することなく（若干の前後動は可）回動可能に設けてあるので、調整回動体２８を回動することにより調整移動体２５は、ばね受け部２４が貫通通凹部２６、２７を構成する横壁に当接し、回動することなく前後動可能となる。
【００２１】
前記移動体１０の突出部１１の後端面と調整移動体２５のばね受け部２４の先端の間にコイルッスプリン３１を張架して、ペン体６および移動体１０を前方方向（図３において左側方向）に弾発してある。
【００２２】
本実施例の筆記具１は、軸筒２９内に収容したインキがペン芯１９を介してペン体保持部材７に形成したインキ流通路８に流出し、該インキ流通路８を通ってペン体保持部材７の先端部７ｂａに流出し、スリット１５を介して空間部１６にインキが溜り、インキ流出路５を通ってペン体６の先端にインキを充分に供給する。また、筆記時における筆圧により、図８に示すようにペン体６は後方へ移動し、ペン体６はコイルスプリング３１により前方方向（図８において左側方向）に弾発されており、筆圧に応じてペン体が後退するので万年筆のペン先のように筆記時における抑揚感を感ずることができる。また、調整回動体２８を回動して調整移動体２５を前後動することで、ばねの装着状態の全長が変化してコイルスプリング３１の弾発力が変化し、同じ筆圧でもペン体６の後退量に変化をもたらすことができる。
【実施例２】
【００２３】
次に、第２の実施例の筆記具を、図９を用いて説明する。なお、同じ部材同じ箇所を示す場合は同じ符号を付してある。本実施例の筆記具５１は、ペン芯１９が、インキカートリッジ５２に備えられたインキ流出防止用のための開口部を閉塞した蓋（図示せず）をずらして開口部を開口するための後方（図９において右側方向）に突出した突出部５３を有した構造である点、ペン芯保持部材２０にインキカートリッジ５２を挿着する挿着部５４をしてあり、インキカートリッジ５２を挿着可能とした構造である点、軸筒２９がインキカートリッジ５２を収容可能な収容室５５を有した構造である点以外は、第１の実施例と同様のペン体６、ペン保持部材７、軸体９、移動体１０、調整移動体２５と調整回動体２８を形成し、第１の実施例と同様にして組み立てたものである。
【産業上の利用可能性】
【００２４】
本発明は、撓み可能な複数のペン先片を環状に配して、先端側を先窄み状としたペン体を備えた筆記具において、筆記時の筆圧により後方へペン体が移動可能とし、筆圧によるペン体の後退量に変化をもたらしたい場合に適用できる。
【符号の説明】
【００２５】
１、５１  筆記具
３  ペン先片
６  ペン体
２４  ばね受け部
２５  調整移動体
２８  調整回動体
２９  軸筒
３１  コイルスプリング
【図１】
2012045723.tif 000003
【図２】
2012045723.tif 000004
【図３】
2012045723.tif 000005
【図４】
2012045723.tif 000006
【図５】
2012045723.tif 000007
【図６】
2012045723.tif 000008
【図７】
2012045723.tif 000009
【図８】
2012045723.tif 000010
【図９】
2012045723.tif 000011